(57)【要約】【課題】地震等による振動を受けた場合にも縦フレームのねじ固定部の破壊を防止し、キャビネット全体の強度を高めることができる電気電子機器収納用キャビネットのフレーム固定構造を提供する。【解決手段】縦フレーム１と横フレーム２と奥行きフレーム３とをコーナー部材により連結固定した電気電子機器収納用キャビネットのフレーム固定構造である。各フレームを押し出し成形されたフレーム材により構成し、コーナー部材２０からフレーム端部方向に挿入された第１のねじ２１と、コーナー部材２０からフレーム側面方向に挿入された第２のねじ２３とによって、フレーム材とコーナー部材２０とを固定した。これによって電気電子機器収納用キャビネット全体の耐震強度が向上する。【選択図】図４
2010268615.tif 000002
【特許請求の範囲】
【請求項１】
縦フレームと横フレームと奥行きフレームとをコーナー部材により連結固定したキャビネットのフレーム固定構造であって、各フレームを押し出し成形されたフレーム材により構成し、コーナー部材からフレーム端部方向に挿入された第１のねじと、コーナー部材からフレーム側面方向に挿入された第２のねじとによって、フレーム材とコーナー部材とを固定したことを特徴とする電気電子機器収納用キャビネットのフレーム固定構造。
【請求項２】
コーナー部材にフレーム材の側面に当接する延辺部を設け、この延辺部からフレーム側面方向に第２のねじを挿入したことを特徴とする請求項１記載の電気電子機器収納用キャビネットのフレーム固定構造。
【請求項３】
下部の各コーナー部材が、コーナーブロックからアンカー固定板を水平に延設してその一部を延辺部としたものであり、この延辺部の上下何れかに横フレームまたは奥行きフレームを位置させ、第２のねじで固定したことを特徴とする請求項２記載の電気電子機器収納用キャビネットのフレーム固定構造。
【請求項４】
アンカー固定板に形成されるアンカー固定部よりもキャビネット内側に、第２のねじを配置したことを特徴とする請求項３記載の電気電子機器収納用キャビネットのフレーム固定構造。
【発明の詳細な説明】
【技術分野】
【０００１】
本発明は、縦フレームと横フレームと奥行きフレームとからなる電気電子機器収納用キャビネットのフレーム固定構造に関するものである。
【背景技術】
【０００２】
電気電子機器収納用箱体として用いられるキャビネットとしては、縦フレームと横フレームと奥行きフレームとを直方体状に組み合わせ、各コーナー部をコーナー部材により連結固定した構造が一般的である。特許文献１はその一例を示すものであり、縦フレームと横フレームと奥行きフレームとの各端部をコーナー部材に当接させ、各端面をコーナー部材側からフレーム端部方向に挿入されたねじによってねじ止めして固定したものである。
【０００３】
特許文献１の図２に示されるように、コーナー部材にはＸＹＺの３方向にねじ孔が形成されており、各フレームを１本ずつのねじによって固定している。しかし耐震性等を考慮してキャビネット全体の強度を向上させるためにはこのような従来構造では十分ではなく、振動したときに荷重が集中するねじ固定部が破壊されるおそれがあった。
【０００４】
また特許文献２に示されるように、コーナー部材のＸＹＺの３方向に各フレーム端部への挿入用突起を突設し、これらの挿入用突起に挿入された各フレーム端部をフレームの側面方向からねじ止めする構造も用いられている。しかしこの構造はコーナー部材からフレームを引き抜く方向の荷重に対する強度が不十分であり、キャビネット全体の強度を十分に向上させることができなかった。
【先行技術文献】
【特許文献】
【０００５】
【特許文献１】特表平８−５０６４７６号公報（図２）
【特許文献２】特開平５−２７６６１３号公報（図１）
【発明の概要】
【発明が解決しようとする課題】
【０００６】
本発明は上記した従来の問題点を解決し、地震等による振動を受けた場合にもねじ固定部の破壊を防止し、キャビネット全体の強度を高めることができる電気電子機器収納用キャビネットのフレーム固定構造を提供することを目的とするものである。
【課題を解決するための手段】
【０００７】
上記の課題を解決するためになされた本発明は、縦フレームと横フレームと奥行きフレームとをコーナー部材により連結固定した電気電子機器収納用キャビネットのフレーム固定構造であって、各フレームを押し出し成形されたフレーム材により構成し、コーナー部材からフレーム端部方向に挿入された第１のねじと、コーナー部材からフレーム側面方向に挿入された第２のねじとによって、フレーム材とコーナー部材とを固定したことを特徴とするものである。
【０００８】
なお請求項２のように、コーナー部材にフレーム材の側面に当接する延辺部を設け、この延辺部からフレーム側面方向に第２のねじを挿入した構造とすることが好ましい。
【０００９】
また請求項３のように、下部の各コーナー部材が、コーナーブロックからアンカー固定板を水平に延設してその一部を延辺部としたものであり、この延辺部の上下何れかに横フレームまたは奥行きフレームを位置させ、第２のねじで固定した構造とすることが好ましい。
【００１０】
また請求項４のように、アンカー固定板に形成されるアンカー固定部よりもキャビネット内側に、第２のねじを配置した構造とすることが好ましい。
【発明の効果】
【００１１】
本発明の電気電子機器収納用キャビネットのフレーム固定構造は、各フレームを押し出し成形されたフレーム材により構成し、コーナー部材からフレーム端部方向に挿入された第１のねじと、コーナー部材からフレーム側面方向に挿入された第２のねじとによって、フレーム材とコーナー部材とを固定したので、従来の特定方向のみのねじによる固定に比較して、様々な方向の荷重に対する強度が増加し、キャビネットの耐震性を向上させることができる。
【００１２】
請求項２のように、コーナー部材にフレーム材の側面に当接する延辺部を設け、この延辺部からフレーム側面方向に第２のねじを挿入した構造とすれば、延辺部が露出しているので固定作業が容易であるうえに、固定強度を高くすることができる。
【００１３】
請求項３のように、下部の各コーナー部材が、コーナーブロックからアンカー固定板を水平に延設してその一部を延辺部としたものであり、この延辺部の上下何れかに横フレームまたは奥行きフレームを位置させ、第２のねじで固定した構造とすれば、アンカーボルトの近傍で横フレームまたは奥行きフレームを固定することができる。またこれらのフレームはアンカーボルトと同様の垂直方向に固定されることと相俟って、固定強度を高くすることができる。
【００１４】
さらに請求項４のようにアンカー固定板に形成されるアンカー固定部よりもキャビネット内側に、第２のねじを配置した構造とすれば、固定強度を更に高めることができる。
【図面の簡単な説明】
【００１５】
【図１】本発明の実施形態を示すキャビネットの全体斜視図である。
【図２】底部のコーナー部分の斜視図である。
【図３】横フレームの断面図である。
【図４】コーナー部材を下側から見上げた斜視図である。
【図５】コーナー部材を他の方向から見上げた斜視図である。
【図６】コーナー部材の斜視図である。
【図７】コーナー部材の他の方向からの斜視図である。
【発明を実施するための形態】
【００１６】
以下に本発明の実施形態を説明する。
図１に示すように、本発明では４本の縦フレーム１と４本の横フレーム２と４本の奥行フレーム３とを直方体状に組み合わせ、コーナー部材２０で連結固定して電気電子機器収納用キャビネットの骨格を形成する。各フレームを構成するフレーム部材は、この実施形態ではアルミニウムの押し出し材である。
【００１７】
図２は底部のコーナー部分の斜視図であり、縦フレーム１と奥行フレーム３とがコーナー部材２０によって連結固定された様子を示している。なお横フレーム２は破断されて図示されている。以下に横フレーム２をコーナー部材２０に固定する構造を説明するが、奥行フレーム３も同様にコーナー部材２０に固定することができる。
【００１８】
本実施形態では、横フレーム２は図３のような断面形状を有する。全体のほぼ中央部に貫通孔からなるねじ固定部５を設けてある。このねじ固定部５はねじ切りが行えるサイズの略円形孔となっている。下方の片側には接地部６が突設されており、下方の反対側には四角形の空間７が形成されている。この空間７の天井となる面には下向きの取付用溝部８が設けられている。このほか上方および側方にも取付用溝部９，１０が形成されている。これらはいずれもその内部にナットをはめ込むことができるように、入口が狭く奥が広がった断面形状となっている。なお取付用溝部は孔部の取付部としたものでもよい。
【００１９】
コーナー部材２０は図２に示されるような略直方体状のブロックであり、好ましくは金属鋳造品である。コーナー部材２０の端部から上記した横フレーム２のねじ固定部５に向かって図４に示されるように第１のねじ２１が挿入され、横フレーム２の端部がコーナー部材２０にねじ止めされている。このとき横フレーム２の端部は次に説明するコーナー部材２０の延辺部２２により位置決めされている。
【００２０】
図５（コーナー部材２０を下側から見た斜視図）に示されるように、コーナー部材２０には横フレーム２の外側の側面に当接する延辺部２２が突設されており、この延辺部２２からフレーム側面方向に挿入された第２のねじ２３によってコーナー部材２０と横フレーム２との固定が行われる。これらの第１のねじ２１と第２のねじ２３との関係は図４に示されるように、コーナー部材２０の延辺部２２を横フレーム２の空間７に位置させ、空間７の天井となる面に形成された下向きの取付用溝部８にナットを嵌めこみ、第２のねじ２３により固定するものである。横フレーム２はその長手方向およびこれに垂直な方向からねじ止めされることとなる。コーナー部材２０の延辺部２２が露出しているので、第２のねじ２３の締結が容易に行える。
【００２１】
また第２のねじ２３はコーナー部材２０の下側から固定しているので、ねじが見えず見栄えがよく、しかも第２のねじ２３が挿入される挿入孔２６のねじ頭部が当接する部分を一段窪ませてコーナー部材２０に形成してあるので、ねじ頭部がコーナー部材２０から突出しないものである。
【００２２】
特に下側のコーナー部材２０は、図６、図７に示すようにコーナーブロックからアンカー固定板２４を水平に延設してその一部を延辺部２２としたものであり、この延辺部２２の上側に横フレーム２を位置させ、横フレーム２の下面から上向きに第２のねじ２３で固定した構造となっている。この場合、第２のねじ２３の先端は横フレーム２の下向きの取付用溝部８内に挿入されたナットと係合することとなる。
【００２３】
なお、アンカー固定板２４にはアンカーボルトを打ち込むためのアンカー固定部２５が設けられているが、このアンカー固定部２５よりもキャビネット内側に、第２のねじ２３の挿入孔２６が配置されている。アンカーボルトの近傍でしかもアンカー固定部２５よりもキャビネット内側で横フレーム２をアンカーボルトと同じく垂直方向のねじ２３によって固定できるので、固定強度を高くすることができる利点がある。
【符号の説明】
【００２４】
１  縦フレーム
２  横フレーム
３  奥行フレーム
５  ねじ固定部
６  接地部
７  空間
８  下向きの取付用溝部
９  上向きの取付用溝部
１０  側方向きの取付用溝部
２０  コーナー部材
２１  第１のねじ
２２  延辺部
２３  第２のねじ
２４  アンカー固定板
２５  アンカー固定部
【図１】
2010268615.tif 000003
【図２】
2010268615.tif 000004
【図３】
2010268615.tif 000005
【図４】
2010268615.tif 000006
【図５】
2010268615.tif 000007
【図６】
2010268615.tif 000008
【図７】
2010268615.tif 000009